(57)【特許請求の範囲】
【請求項１】
撮影手段により撮影された画像を記録する画像記録装置において、
オペレータにより前記画像の記録を停止するための操作が行われた場合に、オペレータにパスワードの入力を要求するパスワード入力要求手段と、
オペレータにより入力されたパスワードが正当なものである場合に、前記画像の記録を停止する画像記録停止手段と、
を備えることを特徴とする画像記録装置。
【請求項２】
請求項１に記載の画像記録装置において、
更に、前記画像の記録を停止した時のパスワードを記録するパスワード記録手段を備えることを特徴とする画像記録装置。
【請求項３】
撮影手段により撮影された画像を記録する画像記録装置において、
オペレータにより前記画像の記録を停止するための操作が行われた場合に、オペレータに記録を停止する理由の入力を要求する記録停止理由入力要求手段と、
オペレータにより入力された記録停止理由が正当なものである場合に、前記画像の記録を停止する画像記録停止手段と、
を備えることを特徴とする画像記録装置。
【請求項４】
撮影手段により撮影された画像を記録する画像記録装置で用いられる記録停止方法において、
オペレータにより前記画像の記録を停止するための操作が行われた場合に、オペレータにパスワードの入力を要求するパスワード入力要求ステップと、
オペレータにより入力されたパスワードが正当なものである場合に、前記画像の記録を停止する画像記録停止ステップと、
を備えることを特徴とする記録停止方法。
【請求項５】
請求項４に記載の記録停止方法において、
更に、前記画像の記録を停止した時のパスワードを記録するパスワード記録ステップを備えることを特徴とする記録停止方法。
【請求項６】
撮影手段により撮影された画像を記録する画像記録装置で用いられる記録停止方法において、
オペレータにより前記画像の記録を停止するための操作が行われた場合に、オペレータに記録を停止する理由の入力を要求する記録停止理由入力要求ステップと、
オペレータにより入力された記録停止理由が正当なものである場合に、前記画像の記録を停止する画像記録停止ステップと、
を備えることを特徴とする記録停止方法。
【発明の詳細な説明】
【０００１】
【発明の属する技術分野】
本発明は、人物の侵入監視などの、監視装置における画像の録画のタイミングと、あらかじめ録画された画像等のデータベースに対して、オペレータの必要とする画像データ等を検索するための画像処理方法を記録したコンピュータプログラム製品および監視録画装置に関する。
【０００２】
【従来の技術】
侵入者などの監視装置においては、ＶＴＲやハードディスクなどの記録装置に、撮影した画像データを記録する。オペレータは、その後、該記録された画像データの中から、必要とする画像データを検索し表示させる。
【０００３】
【発明が解決しようとする課題】
従来、監視録画装置において、録画作業中にオペレータが“録画停止のためのボタン”を押すと、その時点で録画作業が停止していた。しかし、監視録画装置の性格上録画機能は不用意に停止されない方が良い。例えば、現在、進入物体あるいは侵入者が写っている可能性があるため、侵入者自身又はその仲間が録画を停止させることも考えられる。また、誤操作により、録画を停止させることもある。
【０００４】
【課題を解決するための手段】
本発明はこのような問題点を解決するために、録画中に録画停止操作を行った場合には、オペレータにパスワードの入力を求める機能を追加し、パスワードが一致した場合にのみ録画を停止させるようにしたものである。
【０００５】
【発明の実施の形態】
本発明の監視録画装置は、基本的に図１に示すブロック図で表されるシステム上に構築される。また、図２はその動作フローチャートである。３０１は全体を制御するマイコン、３０２は画像記録装置、３０３は画像認識部、３０４はビデオモニタ、３０５はビデオインターフェース、３０６はテレビカメラ、３０７はフレームバッファ、３０９は入力装置、３１０はバスである。
【０００６】
これら各構成要素は、バス３１０が接続している他の構成要素と信号を送受し合い、該各構成要素は前記マイコン３０１からのアクセス信号により制御される。また、前記マイコンへの指示はオペレータが入力装置３０９によって行う。ビデオインターフェース３０５は、テレビカメラ３０６から送られてきた動画像をこの監視録画装置で扱うフォーマットに変換し、画像認識部３０３及び記憶装置３０２に送る。また、前記ビデオインターフェース３０５は、バス３１０を介して記憶装置３０２から出力される信号情報をモニタ３０４に出力する。前記画像認識部３０３は送られてきた動画像から進入物体があるか否かを検出する。マイコン３０１は、進入物体が検出された日時と対応する画像データを記憶装置３０２に格納する。また、記憶装置３０２としては磁気記憶装置のみではなく、他の記憶媒体、例えばＤＶＤ記憶装置を用いたりあるいはネットワークを介したリモートファイルを用いたり、これら１つではなく、複数を組合わせて用いてもよい。また、これら記憶装置に記憶される映像情報が格納時には圧縮され、出力時には伸張されて処理されようにしてもよい。
【０００７】
ここで、本発明はこのような監視録画装置における録画制御方法を提供するものであり、録画機能を終了させる場合にパスワードの入力を求める機能を設けたものである。これは、前述のように、監視録画装置の性格上、録画処理が不用意に停止されないようにするためのもので、録画作業の停止は、録画作業中に入力装置３０９の再度操作パネルに作り込まれた録画ボタン（録画の開始と停止はこのボタンの操作により行われる・図示せず）を押すことで行える。このとき、図１のモニタ３０４にパスワード入力ウィンドウを表示（図示せず）する。次に、入力装置３０９のボタン（図示せず）を押して、文字を入力する。すると、マイコン３０１はその正誤を判定し、正しい文字列である場合に録画を停止する。別の例として、パスワードを入力するためのウィンドウを表示し、上下の矢印ボタンを用いて数値を設定する。この時、矢印ボタンを押すたびに数値とアルファベットが順に表示され、エンターボタンを押すと決定される。また、この時入力した文字は非表示となる。この場合も同様に、最後の文字を入力し、エンターボタンを押した段階で、正しいパスワードであった場合には録画を停止される理由を確認し、正当であった場合には録画を停止する。
【０００８】
次にこの動作の詳細を図２のフローチャート、図３の画面説明図を用いて説明する。
【０００９】
オペレータにより操作パネル上の「録画ボタン」が押された場合１、録画中か否かの判定を行い２、録画中であれはパスワードの入力ウィンドウを開く３。ここで、オペレータはパスワードを入力し、「エンター」ボタンをおす４、「エンター」ボタンが押されると、マイコン３０１は該入力されたパスワードと、あらかじめ登録されているパスワードとの比較を行い５、一致していれば停止理由を入力するウィンドウ５００（図３参照）を表示する６、オペレータは、停止理由を選択し、「エンター」ボタンを押す。マイコン３０１は、その理由を評価し（画像記録装置３０２の記録媒体の空き容量のチェック、前回メンテナンスを行った日時、自己診断機能等を用いる）、正当であれば、録画を停止する８。さらに、停止した時のパスワードと理由を記録する１３。ここで、停止理由が不当であると判断した場合には、さらに、パスワード入力用のウィンドウ３００を表示する９、オペレータは、ここで、別途登録した停止理由確認用パスワード１０６を入力する。このパスワードが一致すれば１０、録画を停止し８、停止したパスワードと理由、さらに確認作業を行ったことを記録する。ここで、入力したパスワードが、あらかじめ登録したパスワードと一致しなかった場合には、停止操作を行った時のパスワードを記録し１４、エラーメッセージを表示して１１、録画を継続する。さらに、「録画」ボタンが押された時、録画中で無い場合には、録画作業を開始する１２。次に、パスワードの登録作業について、図３に示すモニタ３０４上に表示される画面を参照し説明する。
【００１０】
入力装置３０９の操作上のメニューボタン（図示せず）を押して、モニタ３０４にメニュー１００を表示させ、“パスワードの登録”１０１を選択する。この時、パスワードの入力が要求され、該パスワードの入力を行う（最初は例えば００００を初期値としておく）１０４。パスワードが一致すれば、２００で示すメニューが表示される。“管理者”１０２は、本監視装置を管理する人であり、“一般”１０３はその他のユーザである。まず、“管理者”１０２を選択すると、３００に示す設定用ウィンドウが表示される。ここで、録画停止用のパスワード１０５と、前述の停止理由が不適切な場合に入力するためのパスワード１０６を設定する。ここで設定された録画停止用のパスワードは、前述のメニュー表示用のパスワード１０４（初期値００００）としても登録され、次回からは該パスワードが要求される。次に、“一般”１０３を選択した場合には、４００で示すウィンドウが表示され、録画停止用のパスワード１０７の設定が行える。このように、パスワードの登録は、管理者のみが行うことができ、また、停止理由確認用のパスワードの設定も監視者のみ可能である。また、パスワードの重複を禁止する機能も有している。
【００１１】
以上の実施例の構成は２回のパスワードを要求する構成であるが、録画動作中に、該録画を停止させる操作を行った場合に、１回のパスワードの入力を要求し、停止するようにしてもよい。この場合、該パスワードが前記監視録画装置に予め登録したものと一致している場合にのみ、録画機能を停止させる。なお、言うまでもなく、以上の各実施例で述べたボタンの機能は、入力装置３０９に設けられたボタンである必要はなく、キーボードの特定のキーに割り当てたり、リモートコントローラを使って実現してもよく、またメニュー内に作成してもよい。
【００１２】
【発明の効果】
録画停止操作時に、オペレータにパスワードを入力させることで、不用意に録画が停止され、必要なデータが録画されなくなることを防止する。
【図面の簡単な説明】
【図１】本発明の一実施例のブロック図。
【図２】本発明の一実施例のフローチャート。
【図３】本発明の一実施例の画面表示の一例を示す説明図。
【符号の説明】
３０１  マイコン、３０２  画像記録装置、３０３  画像認識部、３０４  モニタ、３０５  ビデオインターフェース、３０６  テレビカメラ、３０７  フレームバッファ、３０９  入力装置、３１０  バス、
【図１】
0003635973.tif 000002
【図２】
0003635973.tif 000003
【図３】
0003635973.tif 000004